(57)【要約】【課題】  固定専用部材を使用せず、回路基板に実装するダイオード、ヒューズ抵抗、セメント抵抗、電解コンデンサなど電子部品を利用してフラットケーブル又はリード線などの浮き上がりを抑えることができるようにする。【解決手段】  回路基板２に形成する回路パターン２Ａとは独立したパターンあるいはアースパターン間などダミーパターン２Ｂにダイオード、ヒューズ抵抗、セメント抵抗、電解コンデンサなどの固定用電子部品３を実装し、この固定用部材の端子３１の間にフラットケーブル４やリード線４Ａを通すことにより、フラットケーブル４やリード線４Ａの浮き上がりを抑える。【選択図】      図１
2005243817.tif 000002
【特許請求の範囲】
【請求項１】
回路基板に各種電子部品を実装するとともに、この回路基板に形成される回路パターンに実装された一つの電子部品を配線部材の固定用電子部品とし、前記回路パターンに半田付けして接続された電子部品の端子間に配線部材を通して該配線部材の浮き上がりを抑えるように構成したことを特徴とする配線部材の浮き上がり防止機能を備えた回路基板。
【請求項２】
前記固定用電子部品の端子は、前記回路基板に形成する回路パターンとは独立した独立パターン又はアースパターン間に接続され、前記回路基板に形成する回路パターンと前記固定用電子部品とを断電状態としたことを特徴とする請求項１記載の配線部材の浮き上がり防止機能を備えた回路基板。
【請求項３】
固定用電子部品がダイオード、ヒューズ抵抗、セメント抵抗、電解コンデンサ等で構成するとともに前記配線部材がフラットケーブル又はリード線から成り、前記配線部材として２ＰＩＮ以上の複数の端子を備えたフラットケーブルを固定する場合は、主に端子の間隔が５ｍｍ〜５０ｍｍの抵抗、ダイオード等を使用し、前記配線部材としてリード線を用いる場合、前記端子の間隔が２．５ｍｍ〜５ｍｍの電解コンデンサ、ダイオード等用いることを特徴とする請求項１又は２記載の配線部材の浮き上がり防止機能を備えた回路基板。
【発明の詳細な説明】
【技術分野】
【０００１】
本発明は、基板上における配線材固定構造に関し、固定専用部材を使用せず、ダイオード、ヒューズ抵抗、セメント抵抗、電解コンデンサ等を固定用電子部品として使用する配線部材の浮き上がり防止機能を備えた回路基板に関する。
【背景技術】
【０００２】
テレビジョン受像機及びＤＶＤ機器などの電子機器に用いる回路基板には、回路基板内の、回路パターンを接続するためや、別々の回路基板を接続するために、多くのフラットケーブル及びリード線等の配線部材が用いられている。このような配線部材が電子機器内部で使用される場合は、配線部材が浮き上がり、高電圧なブラウン管などの部分に接触し、事故を引き起こすことがないようにするために基板上に固定する。従来このような回路基板上における配線部材を固定する方法として例えば、回路基板に線材の一端を半田付けなどによって線材を固定し、その他端に形成するフックを回路基板に形成する貫通孔に係止し、その線材と回路基板との間にフラットケーブルを通すことによりフラットケーブルの浮き上がりを抑える方法（特許文献１）や、電気器具内の被固定部材に線支持材の固定部を固定し、線支持材のクランプ部にリード線を結束するように方法（特許文献２）などが知られている。
【０００３】
【特許文献１】実開平６−６２５８９号公報
【特許文献２】特開平５−１４５２４６号公報
【発明の開示】
【発明が解決しようとする課題】
【０００４】
上述した特許文献１、２では、フラットケーブルあるいはリード線を抑えるために、固定用の線材や線支持材といった専用に固定用部材が必要であり、これらの固定用部材は、単価が高くコスト的な面で不利であるし、フラットケーブルの幅やリード線の数に応じてこれを固定する線材や線支持材の大きさも変える必要があるため、汎用性にも乏しい。また、固定用部材を回路基板に実装するために余計な手間がかかり、組付け作業性にも劣るというという課題を有している。
【０００５】
本発明は、上記問題に鑑みてなされたもので、回路基板に実装する電子部品を固定用電子部品として利用することにより工数及びコストを抑制でき、回路基板上における信頼性の高い配線部材の浮き上がり防止機能に加えて固定用部材の実装の手間を簡略化した配線部材の浮き上がり防止機能を備えた回路基板を提供することをその目的とする。
【課題を解決するための手段】
【０００６】
本発明の請求項１の配線部材の浮き上がり防止機能を備えた回路基板は、回路基板に各種電子部品を実装するとともに、この回路基板に形成される回路パターンに実装された一つの電子部品を配線部材の固定用電子部品とし、前記回路パターンに半田付けして接続された電子部品の端子間に配線部材を通して該配線部材の浮き上がりを抑えるように構成したことを特徴とする。
【０００７】
請求項１の構成によれば、半田付けで回路基板に接続された電子部品を配線部材の固定用電子部品として使用し、固定用電子部品の端子間に配線部材を通すことにより、配線部材の浮き上がりを抑えることが可能になる。
【０００８】
本発明の請求項２の配線部材の浮き上がり防止機能を備えた回路基板は、前記固定用電子部品の端子は、前記回路基板に形成する回路パターンとは独立した独立パターン又はアースパターン間に接続され、前記回路基板に形成する回路パターンと前記固定用電子部品とを断電状態としたことを特徴とする。
【０００９】
請求項２の構成によれば、回路パターンとは独立した独立パターン又はアースパターン間に接続されていることにより、通電されておらず、配線部材の浮き上がりを抑える電子部品が発熱することがない。これにより、電子部品で抑える配線部材の熱による悪影響を与えることがない。
【００１０】
本発明の請求項３の配線部材の浮き上がり防止機能を備えた回路基板は、固定用電子部品がダイオード、ヒューズ抵抗、セメント抵抗、電解コンデンサ等で構成するとともに前記配線部材がフラットケーブル又はリード線から成り、前記配線部材として２ＰＩＮ以上の複数の端子を備えたフラットケーブルを固定する場合は、主に端子の間隔が５ｍｍ〜５０ｍｍの抵抗、ダイオード等を使用し、前記配線部材としてリード線を用いる場合、前記端子の間隔が２．５ｍｍ〜５ｍｍの電解コンデンサ、ダイオード等用いることを特徴とする。
【００１１】
請求項３の構成によれば、配線部材がフラットケーブルの場合は、電子部品の端子の間隔が５ｍｍ〜５０ｍｍの固定用電子部品を使用し、配線部材がリード線の場合は、電子部品の端子の間隔が２．５ｍｍ〜５ｍｍの固定用電子部品を使用することにより、配線部材の浮き上がりを確実に防止することが可能になる。
【発明の効果】
【００１２】
請求項１の配線部材の浮き上がり防止機能を備えた回路基板によれば、回路基板に各種電子部品を実装するとともに、この回路基板に形成される回路パターンに実装された一つの電子部品を配線部材の固定用電子部品とし、前記回路パターンに半田付けして接続された電子部品の端子間に配線部材を通して該配線部材の浮き上がりを抑えるように構成したことにより、回路パターンに実装する電子部品を利用して配線部材の浮き上がり抑えることにより、製造コストを安価に抑えることができるとともに、配線部材を固定用電子部品の端子間に通すことにより、配線部材が固定用電子部品によりしっかりと回路基板に固定されることになり、新たにコーティングクリップやコードクリップ、クッションゴムなど固定用の専用部材を個別に実装する手間が省けるとともに、外部からの衝撃を受けて固定用電子部品から配線部材が外れ、浮き上がったりすることのない、安全性にも優れた、配線部材の浮き上がり防止機能を備えた回路基板を提供することができる。
【００１３】
請求項２の配線部材の浮き上がり防止機能を備えた回路基板によれば、前記固定用電子部品の端子は、前記回路基板に形成する回路パターンとは独立した独立パターン又はアースパターン間に接続され、前記回路基板に形成する回路パターンと前記固定用電子部品とを断電状態としたことにより、固定用電子部品は、通電されておらず、発熱しない為に、固定用電子部品で抑える配線部材への熱的影響を防止することができ安全性に優れる。
【００１４】
請求項３の配線部材の浮き上がり防止機能を備えた回路基板によれば、固定用電子部品がダイオード、ヒューズ抵抗、セメント抵抗、電解コンデンサ等で構成するとともに前記配線部材がフラットケーブル又はリード線から成り、前記配線部材として２ＰＩＮ以上の複数の端子を備えたフラットケーブルを固定する場合は、主に端子の間隔が５ｍｍ〜５０ｍｍの抵抗、ダイオード等を使用し、前記配線部材としてリード線を用いる場合、前記端子の間隔が２．５ｍｍ〜５ｍｍの電解コンデンサ、ダイオード等用いることにより、配線部材のサイズに合わせた固定用電子部品を使用することが可能となり、よりしっかりと配線部材の浮き上がりを防止することが可能になる。
【発明を実施するための最良の形態】
【００１５】
以下、本発明の最良の形態としての実施例を以下の図１〜３を参照しながら説明する。但し、以下に説明する実施例は、本発明を限定するためのものではなく、発明の技術的思想の範囲内で適宜な変更は可能なものであることは当然なことである。
【００１６】
なお、本実施例においては回路基板が組み込まれる電気製品として一般家庭用のテレビジョン受像機に適用したものであり、図１に示すように、テレビジョン受像機１の内部に組み込まれる回路基板２には映像音声処理などの各種回路を構成する回路パターン２Ａが形成され、この回路パターン２Ａにダイオード、ヒューズ抵抗、セメント抵抗、電解コンデンサなどの各種電子部品５が実装されている。また、テレビジョン受像機１の内部には前記回路基板２と他の電子部品あるは複数の回路基板２同士を電気的に接続するための配線部材としてフラットケーブル４やリード線４Ａが引き廻し配線され、このフラットケーブル４やリード線４Ａの浮き上がりを抑えて他の電子部品との接触を防止するために、前記回路基板２に実装する固定用電子部品３を用いる。この固定用電子部品３は、前記回路パターン２Ａに接続されたダイオード、ヒューズ抵抗、セメント抵抗、電解コンデンサなどを用いるものであるが、固定用電子部品３については、前記回路パターン２Ａと、独立したパターン又はアースパターンなどの回路パターン２Ａとは断電状態を保ったダミーパターン２Ｂに接続される。すなわち、固定用電子部品３を断電状態に保つことにより、固定用電子部品３の発熱を防止し、固定用電子部品３で抑えるフラットケーブル４やリード線４Ａの熱的影響を防止するためである。また、固定用電子部品３は前記各種電子部品５とともに機械による自動挿入又は手動によって前記回路基板２に実装されている。すなわち、一般の固定用電子部品３と同様に、端子３１を回路基板２に形成する貫通孔２１に通し、回路基板２のダミーパターン２Ｂに半田６により半田付けで回路基板２に固定されている。そして、この固定用電子部品３の端子３１の間にフラットケーブル４あるいはリード線４Ａを通すようにして固定用電子部品３と回路基板２との隙間Ｘにフラットケーブル４あるいはリード線４Ａを挿通することによってフラットケーブル４あるいはリード線４Ａの浮き上がり防止するように構成している。また、フラットケーブル４あるいはリード線４Ａの浮き上がりを抑える固定用電子部品３は、一般に市販されている汎用のダイオード、ヒューズ抵抗、セメント抵抗、電解コンデンサを用いるが、フラットケーブル４の幅や束ねるリード線４Ａの本数によってそのサイズに応じた固定用電子部品３を用いる。すなわち、配線部材としてフラットケーブル４を用いる場合は、固定用電子部品の端子３１の間隔Ｗが５ｍｍ〜５０ｍｍの抵抗、ダイオード等を固定用電子部品３として使用することにより、端子３１の間に幅広なフラットケーブル４が無理なく挿入でき、配線部材４の浮き上がりを効果的に抑えることができる。一方、配線部材としてリード線４Ａを用いる場合は、固定用電子部品の端子３１の間隔Ｗが２．５ｍｍ〜５ｍｍの電解コンデンサ、ダイオード等を固定用電子部品３として使用することにより、端子３１間におけるリード線４Ａの変動が少なく、リード線４Ａを浮き上がりを効果的に抑えることができる。このように、フラットケーブル４又はリード線４Ａの浮き上がりを防止することにより、フラットケーブル４又はリード線４Ａと周辺機器、例えば、高電圧なブラウン管１１などのとの接触事故を防止することができ安全性にも優れる。
【００１７】
また、フラットケーブル４又はリード線４Ａをしっかりと押さえつけ固定したい場合には、固定用電子部品の端子３１を短めに設定することによって、回路基盤２と固定用電子部品３との隙間Ｘが少なくなるためその間を通すことによりしっかりと押さえつけることが可能になる。
【００１８】
さらに、フラットケーブル４又はリード線４Ａを完全に回路基板２に固定したい場合には、先にフラットケーブル４又はリード線４Ａを回路基板２に配線し、その後に固定用電子部品３を回路基板２に実装するようにすれば配線部材４が確実に固定される。
【００１９】
以上ように、本実施例においては、従来のように配線部材４を回路基板１に固定する際に、固定専用の部材を使用せずに、回路パターン２Ａと独立したダミーパターン２Ｂに実装された固定用電子部品３によってフラットケーブル４又はリード線４Ａの浮き上がりを抑えることにより、新たに固定専用の部材を必要とせず、固定専用の部材を回路基板１に新たに挿入する手間を省き、尚且つ、一般に市販されている汎用の電子部品を固定用電子部品３として使用することが可能となり、経済性にも優れ、前記固定用電子部品３は、回路パターン２Ａの間など通電されておらず、何らかの電位差が生じずに回路に悪影響を与えない場所に半田６により半田付けで確実に接続されていることにより固定用電子部品３に接触した際に感電したり、固定用電子部品３が発熱して事故が起きることもなく、フラットケーブル４又はリード線４Ａ等の配線部材が浮き上がってブラウン管１１などの高電圧部分に触れることがなくなるために安全性に優れる。
【００２０】
以上、本発明の実施例について記述したが本発明は、前記実施例に限定されるものではなく、本発明の要旨の範囲内で種々の変形実施が可能である。例えば、図４で示すようなテレビジョン受像機とビデオデッキとの複合機やその他の電子機器であるＤＶＤ装置などにも有効であり、また図４で示すように配線部材４を固定する際に固定用電子部品３を複数箇所で使用することも有効である。
【図面の簡単な説明】
【００２１】
【図１】本発明の配線部材の浮き上がり防止機能を備えた回路基板を用いたテレビジョン受像機の斜視図である。
【図２】同上配線部材の浮き上がり防止機能を備えた回路基板を用いたテレビジョン受像機の平面図である。
【図３】同上配線部材の浮き上がり防止機能を備えた回路基板を用いたテレビジョン受像機の断面概念図である。
【図４】同上配線部材の浮き上がり防止機能を備えた回路基板を用いたテレビジョン受像機とビデオデッキとの複合機の斜視図である。
【符号の説明】
【００２２】
２  回路基板
２Ａ  回路パターン
２Ｂ  ダミーパターン
３  固定用電子部品
４  フラットケーブル（配線部材）
４Ａ  リード線（配線部材）
５  電子部品
６  半田
３１  端子
【図１】
2005243817.tif 000003
【図２】
2005243817.tif 000004
【図３】
2005243817.tif 000005
【図４】
2005243817.tif 000006